(57)【要約】【課題】光触媒担持ボードの機能を更に有効に発揮することを可能とし、室内等に設置する際に利便性を向上させた浄化器具を提供する。【解決手段】浄化器具１ａのハウジングは、本体部２と、通気用蓋部３と、取り付け用蓋部４と、を備える。本体部２は、空気の出入りを可能とする通気ハウジング面５ａ、５ｂ、５ｃを備え、通気用蓋部３は通気ハウジング面６を備えている。本体部２は、内部が空洞部であり、この空洞部内には３枚の光触媒担持ボードが正三角柱を構成するように収容可能である。取り付け用蓋部４には、ねじが貫通することができる貫通孔８が形成され、通気ハウジング面５には、多数の通気口と、集光機能を有するレンズとが形成されている。【選択図】    図１
2010005163.tif 000002
【特許請求の範囲】
【請求項１】
空気を浄化するための浄化器具であって、
複数の通気口が形成された少なくとも１つの通気ハウジング面と、該通気ハウジング面によって画定された空洞部とを有するハウジングと、
複数の光触媒担持ボードであって、該光触媒担持ボードの各々は、その両面が光触媒機能を有すると共に、前記通気口から前記空洞部内に入ってきた空気が該光触媒担持ボードの両面に沿って流れることを可能にするように前記空洞部内に配置されている、前記複数の光触媒担持ボードと、
を備える、浄化器具。
【請求項２】
前記ハウジングは、頂部と、本体部と、底部と、を有し、少なくとも該本体部及び該底部の表面の少なくとも一部分が前記通気ハウジング面として構成されている、請求項１に記載の浄化器具。
【請求項３】
少なくとも３枚の前記光触媒担持ボードが、多角柱の側面を各々形成するように配置されている、請求項２に記載の浄化器具。
【請求項４】
前記光触媒担持ボードが３枚用意され、前記多角柱は正三角柱である、請求項３に記載の浄化器具。  
【請求項５】
前記光触媒担持ボードは、該光触媒担持ボードの少なくとも一面が前記本体部の通気ハウジング面と対面するように配置されている、請求項２乃至４のいずれか１項に記載の浄化器具。  
【請求項６】
前記光触媒担持ボードは、該光触媒担持ボードが前記底部の通気ハウジング面に対し略垂直となるように、配置されている、請求項５に記載の浄化器具。
【請求項７】
前記通気ハウジング面は、網状部材を用いて構成されている、請求項１乃至６のいずれか１項に記載の浄化器具。
【請求項８】
前記網状部材は、網目部分に形成された、凸レンズ及び通気口を有する、請求項７に記載の浄化器具。
【請求項９】
少なくとも前記本体部の前記通気ハウジング面が、格子を用いて構成されている、請求項２乃至６のいずれか１項に記載の浄化器具。
【請求項１０】
前記格子は、複数の透明な柱状部材から構成されている、請求項９に記載の浄化器具。
【請求項１１】
前記柱状部材は、前記ハウジングの外側方向に凸面が形成されている、請求項１０に記載の浄化器具。
【請求項１２】
前記頂部及び前記底部の少なくともいずれか一方が、前記本体部の開口部を閉じるための脱着可能な蓋部として構成されている、請求項２乃至１１のいずれか１項に記載の浄化器具。
【請求項１３】
前記本体部は、前記光触媒担持ボードを摺動可能に保持するためのボード取り付け手段を備える、請求項１２に記載の浄化器具。
【請求項１４】
前記蓋部を取り外したとき、前記光触媒担持ボードを、前記ボード取り付け手段に沿って摺動させることにより、前記本体部の前記開口部から取り出すことが可能となる、請求項１３に記載の浄化器具。
【請求項１５】
前記蓋部は、該蓋部を壁面に取り付けるための取り付け手段を有する、請求項１２乃至１４のいずれか１項に記載の浄化器具。
【請求項１６】
前記蓋部は、前記本体部に脱着可能な天板部と、該天板部の中央部から延在する支柱部と、該支柱部の上端部に取り付けられた取り付け用ディスクと、を有し、該取り付け用ディスクが前記取り付け手段を備える、請求項１５に記載の浄化器具。
【請求項１７】
前記取り付け手段は、前記壁面にねじ込み可能なねじを貫通させるための貫通孔、又は接着手段である、請求項１５又は１６に記載の浄化器具。
【請求項１８】
前記天板部には、通気口が形成されている、請求項１６に記載の浄化器具。
【請求項１９】
前記空洞部内に発光手段を備える、請求項１乃至１８のいずれか１項に記載の浄化器具。
【請求項２０】
前記発光手段は、前記光触媒担持ボードの前記通気ハウジング面に対面していない面に光を照射するように配置されている、請求項１９に記載の浄化器具。
【請求項２１】
前記多角柱の内部に発光手段を備える、請求項３又は４に記載の浄化器具。
【請求項２２】
前記発光手段の電源として太陽電池パネルを用いる、請求項１９乃至２１のいずれか１項に記載の浄化器具。
【請求項２３】
前記光触媒担持ボードは、波状に形成されている、請求項１乃至２２のいずれか１項に記載の浄化器具。
【請求項２４】
前記頂部が前記蓋部として構成されており、前記取り付け手段を用いて室内の天井に取り付けられている、請求項１５乃至１８のいずれか１項に記載の浄化器具。
【請求項２５】
空気を浄化するための浄化器具であって、
複数の通気口が形成された少なくとも１つの通気ハウジング面と、該通気ハウジング面によって画定された空洞部とを有するハウジングを備え、
前記ハウジングは、複数の光触媒担持ボードを収容することを可能にし、該光触媒担持ボードの各々は、その両面が光触媒機能を有すると共に、前記ハウジング内に収容されたとき、前記通気口から前記空洞部内に入ってきた空気が該光触媒担持ボードの両面に沿って流れることを可能にするように前記空洞部内に配置される、浄化器具。
【請求項２６】
前記ハウジングは、頂部と、本体部と、底部と、を有し、少なくとも該本体部及び該底部の表面の少なくとも一部分が前記通気ハウジング面として構成され、少なくとも３枚の前記光触媒担持ボードが多角柱の側面を各々形成するように該光触媒担持ボードを配置可能である、請求項２５に記載の浄化器具。
【請求項２７】
前記通気ハウジング面は、集光機能を更に有する、請求項２５又は２６に記載の浄化器具。
【請求項２８】
前記頂部及び前記底部の少なくともいずれか一方が、前記本体部の開口部を閉じるための脱着可能な蓋部として構成されている、請求項２６に記載の浄化器具。
【請求項２９】
前記本体部は、前記光触媒担持ボードを摺動可能に保持するためのボード取り付け手段を備える、請求項２８に記載の浄化器具。
【請求項３０】
前記蓋部は、該蓋部を壁面に取り付けるための取り付け手段を有する、請求項２８又は２９に記載の浄化器具。
【請求項３１】
前記空洞部内に発光手段を備える、請求項２５乃至３０のいずれか１項に記載の浄化器具。
【発明の詳細な説明】
【技術分野】
【０００１】
本発明は、空気の浄化や脱臭などの用途に好適な浄化器具に係り、より詳しくは、光触媒粒子、主として酸化チタンの微粒子を担持した光触媒担持ボードを用いた浄化器具に関する。
【背景技術】
【０００２】
光触媒は、光の照射により触媒作用をもたらし、有機物の酸化や微生物の増殖抑制及び死滅等の顕著な効果を有することが知られている。このような光触媒を用いて環境大気中の汚染物質を除去する技術が、例えば下記特許文献１（特開平６−３１５６１４号公報）に記載されている。同公報に記載された技術では、二酸化チタン又は二酸化チタンと活性炭との混合物を主成分とする光触媒をフッ素樹脂などを用いて固定することによりシート状又はパネル状に形成された浄化材が構成される。
【０００３】
この浄化材の設置場所の例として、ビルの外壁等の屋外に設置する場合だけではなく、屋内に設置する例が上記公報の段落[0026]に記載されている。更に図９に示すように、適宜の架台１６を専用に設けて浄化材１３を支持することによって、既存の建造物や構造物を利用することなく、浄化材を支持する例も記載されている。
【０００４】
しかし、光触媒を担持した浄化材は、表面が白亜化するというチョーキングの問題があり、シート状又はパネル状に形成された浄化材は、空気との接触面を確保するためには有効面積が少なく光触媒の機能を完全に発揮させる上で難点があった。例えば、シート状の浄化材を壁面に取り付けた場合、室内空間に向かう面は光が照射され、空気が流れるため、脱臭等の効果を発揮することができるが、その裏面は、光が当たらず、通気性も良くないため有効利用ができないことになる。更に、浄化材を室内に設置する際には、２４時間利用の光源を確保する必要性、設置場所の確保といった様々な課題に直面する。
【特許文献１】特開平６−３１５６１４号
【発明の開示】
【発明が解決しようとする課題】
【０００５】
本発明は、上記事実に鑑みなされたもので、光触媒担持ボードの機能を更に有効に発揮することを可能とし、室内等に設置する際に利便性を向上させた浄化器具を提供することをその目的とする。
【課題を解決するための手段】
【０００６】
上記課題を解決するため、本発明は、空気を浄化するための浄化器具であって、複数の通気口が形成された少なくとも１つの通気ハウジング面と、該通気ハウジング面によって画定された空洞部とを有するハウジングと、複数の光触媒担持ボードであって、該光触媒担持ボードの各々は、その両面が光触媒機能を有すると共に、前記通気口から前記空洞部内に入ってきた空気が該光触媒担持ボードの両面に沿って流れることを可能にするように前記空洞部内に配置されている、前記複数の光触媒担持ボードと、を備えて構成したものである。
【０００７】
本発明によれば、通気ハウジングの通気口から空気が流入し、該光触媒担持ボードの両面に沿って流れた後、通気ハウジングの通気口を通して空気が流出する。また、通気口は光を入射することも可能なので、光触媒機能を有する光触媒担持ボードの両面に亘って空気が流れると共に、外光が照射される。従って、光触媒担持ボードを単に壁面に取り付けた場合と比べて、光触媒担持ボードの機能を有効に発揮させることができる。更に、光触媒担持ボードにチョーキングが発生したとしても、ボードはハウジングによって囲まれているため室内の美観等を損なうことがない。
【０００８】
一例として、前記ハウジングは、頂部と、本体部と、底部と、を有し、少なくとも該本体部及び該底部の表面の少なくとも一部分が前記通気ハウジング面として構成されていてもよい。好ましい態様では、少なくとも３枚の前記光触媒担持ボードが、多角柱の側面を各々形成するように配置されている。例えば、光触媒担持ボードが３枚用意された場合、この多角柱は正三角柱となる。より好ましくは、光触媒担持ボードは、該光触媒担持ボードの少なくとも一面が前記本体部の通気ハウジング面と対面するように配置され、該光触媒担持ボードが前記底部の通気ハウジング面に対し略垂直となるように、配置されている。この配置によって、浄化器具を頂部から吊るしたり、天井に取り付けた場合、上昇気流などで底部から流入した空気が光触媒担持ボードの両面に沿って流れ、本体部の通気ハウジング面から出ることが可能となる。勿論、気流の流れによっては、本体部の通気ハウジング面から入った空気が底部の通気ハウジングから出ることもあり得る。いずれにしても光触媒担持ボードの両面を空気が流れる構成とすることができる。
【０００９】
一態様では、通気ハウジング面は、網状部材を用いて構成されている。網状部材として例えば、多数の網目開口部を有する金網が挙げられる。好ましい網状部材は、網目部分に形成された、凸レンズ及び通気口を有する。この凸レンズの作用によって、外光が浄化器具内部の光触媒担持ボードに集光されるため、ボードの光触媒機能を更に向上させることができる。
【００１０】
別の態様では、少なくとも前記本体部の前記通気ハウジング面が、格子を用いて構成されている。例えば、格子は複数の透明な柱状部材から構成されている。隣接する２つの柱状部材の間に空隙ができるため、該空隙が通気口として機能し、良好な通気性をもたらし、更に柱状部材は透明なので、採光の面でも有利となる。好ましくは、前記柱状部材は、前記ハウジングの外側方向に凸面が形成されている。これによって、光触媒担持ボードへ外光が集光されるので、光触媒機能を一段と向上させることができる。
【００１１】
本発明の更なる態様では、前記頂部及び前記底部の少なくともいずれか一方が、前記本体部の開口部を閉じるための脱着可能な蓋部として構成されている。これによって、開口部を通して前記光触媒担持ボードを交換することが可能となる。好ましくは、前記本体部は、前記光触媒担持ボードを摺動可能に保持するためのボード取り付け手段を備える。更に好ましくは、前記蓋部を取り外したとき、前記光触媒担持ボードを、前記ボード取り付け手段に沿って摺動させることにより、前記本体部の前記開口部から取り出すことが可能となる。これによって、前記光触媒担持ボードの交換がきわめて容易となる。
【００１２】
本発明の一態様では、前記蓋部は、該蓋部を壁面に取り付けるための取り付け手段を有する。従って、蓋部を壁面に取り付けた状態で、光触媒担持ボードを収容した本体部を該蓋部に取り付けることによって、浄化器具を簡単に壁面に取り付けることができる。また、光触媒担持ボードの交換も容易となる。例えば、取り付け手段は、前記壁面にねじ込み可能なねじを貫通させるための貫通孔、又は接着手段である。
【００１３】
本発明の別の態様では、前記蓋部は、前記本体部に脱着可能な天板部と、該天板部の中央部から延在する支柱部と、該支柱部の上端部に取り付けられた取り付け用ディスクと、を有し、該取り付け用ディスクが前記取り付け手段を備える。従って、蓋部を壁面に取り付けた状態で、光触媒担持ボードを収容した本体部を該蓋部に取り付けることにより、或いは、蓋部及び本体部が連結された状態でも、浄化器具を簡単に壁面に取り付けることができる。また、光触媒担持ボードの交換も容易となる。好ましくは、前記天板部には、通気口が形成されている。これにより通気性を更に向上させることができる。
【００１４】
本発明の好ましい態様は、前記空洞部内に発光手段を備える。更に好ましくは、前記発光手段は、前記光触媒担持ボードの前記通気ハウジング面に対面していない面に光を照射するように配置されている。複数の光触媒担持ボードを多角柱に配置する場合には、該多角柱の内部に発光手段を備える。従って、光触媒担持ボードの光触媒機能をより有効に活用することができる。省エネルギーの観点で前記発光手段の電源として太陽電池パネルを用いるのが好ましい。
【００１５】
上記各態様において、前記光触媒担持ボードは、波状に形成されているのが好ましい。この波状形状により空気との接触面積が増加するので、脱臭効果等の光触媒機能を更に向上させることができる。
【００１６】
本発明の好ましい一例としての設置方法によれば、本発明の浄化器具は、前記頂部が前記蓋部として構成されており、前記取り付け手段を用いて室内の天井に取り付けられる。
本発明の別の実施態様によれば、空気を浄化するため光触媒担持ボードを収容することが可能な浄化器具が提供される。該浄化器具は、複数の通気口が形成された少なくとも１つの通気ハウジング面と、該通気ハウジング面によって画定された空洞部とを有するハウジングを備え、前記ハウジングは、複数の光触媒担持ボードを収容することを可能にし、該光触媒担持ボードの各々は、その両面が光触媒機能を有すると共に、前記ハウジング内に収容されたとき、前記通気口から前記空洞部内に入ってきた空気が該光触媒担持ボードの両面に沿って流れることを可能にするように前記空洞部内に配置される。
【００１７】
本発明のこの実施態様は、上述した各態様に係る発明の特徴を備えることができる。例えば、前記ハウジングは、頂部と、本体部と、底部と、を有し、少なくとも該本体部及び該底部の表面の少なくとも一部分が前記通気ハウジング面として構成され、少なくとも３枚の前記光触媒担持ボードが多角柱の側面を各々形成するように該光触媒担持ボードを配置可能である。また、前記通気ハウジング面は、集光機能を更に有する。更に、前記頂部及び前記底部の少なくともいずれか一方が、前記本体部の開口部を閉じるための脱着可能な蓋部として構成されている。前記本体部は、前記光触媒担持ボードを摺動可能に保持するためのボード取り付け手段を備える。前記蓋部は、該蓋部を壁面に取り付けるための取り付け手段を有する。前記空洞部内に発光手段が備えられる。
【実施例】
【００１８】
[浄化器具]
以下、本発明の浄化器具の第１乃至第４の実施例を図面を用いて詳細に説明する。
（浄化器具の第１実施例）
図１には、本発明の第１の実施例に係る浄化器具１ａの分解斜視図が示されている。
【００１９】
図１に示されるように、浄化器具１ａのハウジングは、本体部２と、通気用蓋部３と、取り付け用蓋部４と、を備えている。本体部２は、第１のリング部９と、第２のリング部１２と、該第１のリング部９と該第２のリング部１２とを連結するように等間隔に配置された３つの柱部７ａ、７ｂ、７ｃと、２つの隣接する柱部の間に各々配置された、空気の出入りを可能とする通気ハウジング面５ａ、５ｂ、５ｃと、を備えている。第１のリング部９の外側外周面には、ねじ部１０が形成され、第２のリング部１２の外側外周面には、ねじ部１３が形成されている。本体部２は、内部が空洞部であり、該空洞部は、通気ハウジング面５ａ、５ｂ、５ｃと、柱部７ａ、７ｂ、７ｃとによって画定されている。後述されるように、この空洞部内に光触媒担持ボードを収容することができる。
【００２０】
通気用蓋部３は、平面部及び該平面面から延在する側壁とを有し、該平面部には、通気ハウジング面６が形成され、側壁の内側面には、第１のリング部９のねじ部１０内にねじ込むことが可能なねじ部１１が形成されている。
【００２１】
取り付け用蓋部４は、平面部及び該平面面から延在する側壁とを有し、該平面部には、３個の貫通孔８が形成され、側壁の内側面には、第２のリング部１２のねじ部１３内にねじ込むことが可能なねじ部（図１には図示せず。図１０の２５）が形成されている。
【００２２】
通気用蓋部３を本体部２にねじ込み、取り付け用蓋部３を本体部２にねじ込むことによって、図２に示すように浄化器具１ａが組み立てられる。なお、図３には、浄化器具１ａを、通気蓋部側から見た底面図が示されている。
【００２３】
図４には、浄化器具１ａの内部に光触媒担持ボードを取り付けるためのボード取り付け機構２０（図の例では３個の２０ａ、２０ｂ、２０ｃが設けられている）の一例が示されている。ボード取り付け機構２０は、各々、合同に形成された柱状ブロック２１ａ、２１ｂを備えており、ブロック２１ａ、２１ｂには、各々、その長さ方向に形成されたスリット２３ａ、２３ｂが形成されている。また、ブロック２１ａとブロック２１ｂとはスリット２３ａ、ｂが所定の角度を向くように連結部２２を介して背中合わせに連結されている。ボード取り付け機構２０ａ、２０ｂ、２０ｃは、図４に示すように、各々、柱部７ａ、７ｂ、７ｃに図示しない連結手段（例えば柱部側からねじ込まれたボルト、又は、連結部２２と柱部の内側面との間の接着剤など）によって連結されている。なお、ボード取り付け機構２０のブロック、連結手段は一体に形成されていてもよい。
【００２４】
図５に示されるように、３枚の光触媒担持ボード３０ａ、３０ｂ及び３０ｃを、その両端部を対向するスリット内に挿入することによって、本体部２の空洞部内に配置することができる。本実施例に係る光触媒担持ボード３０ａ、３０ｂ及び３０ｃは、図６に示されるように、各々同一サイズの平坦な矩形状に形成されており、両面に光触媒機能を有する。光触媒担持ボード３０ａ、３０ｂ及び３０ｃは、ボード取り付け機構２０のスリットの端部から挿入すると、図６の矢印に示されるようにスリットに沿って移動可能となるため、容易に本体部２内に配置することができる。例えば、図７に示されるように、通気用蓋部３を本体部２にねじ込み、取り付け用蓋部４を取り付けていない状態で、第２のリング部１２の開放口から光触媒担持ボード３０を、対向するスリット間に各々挿入し、下方へと移動させることにより、光触媒担持ボードの最下端が、通気用蓋部３に当接し、取り付け完了となる。これによって、図７に示すように３枚の光触媒担持ボードを本体部２内に容易に取り付けることができる。取り付けられた３枚の光触媒担持ボードは、全体として正三角柱を形成し、該正三角柱の内部は、底部の通気ハウジング面６に対して開放され、正三角柱の各側面は、側部の通気ハウジング面５ａ、５ｂ、５ｃに対面している。また、光触媒担持ボードの上端は、通気ハウジング面５の上端よりも低い位置にあり、本体部２の上方で空気の流れを可能にするスペースが存在していることが理解できる。
【００２５】
光触媒担持ボードを取り外すときも、単に、光触媒担持ボードを持ち上げるだけで簡単に取り外すことができる。従って、光触媒担持ボードの交換の作業を非常に簡単に行うことができる。
【００２６】
なお、通気ハウジング面５ａ、５ｂ、５ｃは、図８に示されるように、多数の開口部を有する金網３１ａを、隣接する柱部５の間、並びに、第１及び第２のリング部９、１２の間を張るように（接着剤やねじ等により）取り付けることによって、形成することができる。通気用蓋部３の通気ハウジング面６に関しても同様に、図９に示されるように、金網３２の周辺部を通気用蓋部３の底縁平面２４に取り付けることによって、容易に形成することができる。
【００２７】
本実施例に係る浄化器具１ａを設置する際には、図１０に示されるように、取り付け用蓋部４を、例えば天井３４等に押し当て、木ねじ３３を貫通孔８を通して天井にねじ込むことによって、取り付け用蓋部４を天井に固定する。この状態で、下方から図７に示す光触媒担持ボードを収用した本体部２を押し当てて、そのねじ部１３を蓋部４のねじ部２５内へとねじ込むことによって、浄化器具１ａを天井３４に容易に設置することができる。
【００２８】
図１１には、本実施例に係る浄化器具１ａを天井３４に設置した例が示されている。白抜き矢印は、主要な空気の流れを示しており、室内の上昇気流が底部の通気ハウジング面６を通って、浄化器具１ａ内に入り込み、側部の通気ハウジング面５ａ、５ｂ、５ｃから出て行く状態が示されている。
【００２９】
より詳しくは、図１２に示されるように、底部の通気ハウジング面６を通った空気流れＡ１、Ａ２、Ａ３、Ａ４、Ａ５、Ａ６のうち空気流れＡ１、Ａ２、Ａ３は、３枚の光触媒担持ボード３０が形成する正三角柱の内部を通過する。空気流れＡ１は取り付け用蓋部４の内壁面に当たって側方への空気流れＡ１０、Ａ１１となって、通気ハウジング面５から出て行き、空気流れＡ２、Ａ３は、光触媒担持ボード３０の裏面（正三角柱の内部側の面）に沿って進行し、取り付け用蓋部４の内壁面により側方への空気流れＡ１０、Ａ１１となって、通気ハウジング面５から出て行く。また、空気流れＡ４、Ａ５は、３枚の光触媒担持ボード３０が形成する正三角柱の外部を通過し、光触媒担持ボード３０の表面（正三角柱の外部側の面）に沿って進行し、側方への空気流れＡ１２、Ａ１３となって、通気ハウジング面５から出て行く。また、通気ハウジング面５から入った空気流れＡ６、Ａ７は、光触媒担持ボード３０が形成する正三角柱の外部に当たって流れを反転させ、再び通気ハウジング面５から出て行く。
【００３０】
図１１、１２では、上昇気流が存在する場合の空気の流れを示したが、下降気流など他の気流が存在する状況では、図の例とは異なる流れとなることは当然である。いずれにしても、本実施例に係る浄化器具１ａによれば、３枚の光触媒担持ボード３０の表面及び裏面の両方に沿って空気の流れが円滑に発生する。更に通気ハウジング面は、多数の開口を有する金網でできているため、空気のみならず、外光を浄化器具内部に取り込むことができる。例えば、側方の通気ハウジング面５から入射した光は、光触媒担持ボード３０ａ、ｂ、ｃの各表面に照射し、底部の通気ハウジング面から入射した光は、光触媒担持ボード３０ａ、ｂ、ｃの各裏面に照射する。従って、本実施例に係る浄化器具１ａを使用することにより、３枚の光触媒担持ボード３０の光触媒機能を有する表面及び裏面を有効に活用することが可能となり、室内空気の脱臭を始めとした浄化作用を顕著に促進させることができる。
【００３１】
図１３には、浄化器具１ａの通気ハウジング面で用いられる金網において光収集機能を向上させた金網３５の別の構成例が示されている。金網３５は、通気用の開口部３７と、凸レンズ３６が埋め込まれた集光部３６と、を交互に配置して構成されている。集光部３６の作用により外光が光触媒担持ボードに集光されるためボードの光触媒機能を更に向上させることができる。
【００３２】
また、図１９には、別の例としての光触媒担持ボード６０ａ、６０ｂ、６０ｃが示されている。光触媒担持ボード６０は、高さ方向が直線状に形成され、高さ方向に垂直な幅方向に波状に形成されている。光触媒担持ボード６０ａ、６０ｂ、６０ｃを平坦な光触媒担持ボード３０ａ、３０ｂ、３０ｃの代わりに挿入することによって、光触媒担持ボードの表面積を増加させ、空気との接触面積を増やして浄化作用をより効果的にもたらすことができる。
（浄化器具の第２実施例）
図１４には、本発明の第２の実施例に係る浄化器具１ｂが示されている。なお、第１の実施例の浄化器具１ａと同一の構成要件については同一の符合を附して詳細な説明を省略する。
【００３３】
第２の実施例に係る浄化器具１ｂは、第１の実施例に係る浄化器具１ａの取り付け用蓋部４の代わりに、図１４に示す取り付け用蓋部４０を用いたものである。本体部２及び通気用蓋部３、光触媒担持ボードの取り付け機構などは、第１の実施例と同様である。
【００３４】
取り付け用蓋部４０は、本体部２にねじ込み可能な天板部４４と、該天板部４４の中央部から延在する支柱部４１と、該支柱部４１の上端部に取り付けられた取り付け用ディスク４２と、を備えている。天板部４４には、通気用の長孔４５が形成され、取り付け用ディスク４２には、貫通孔４３が形成されている。長４５の分布状態は、図１５に詳しく示されている。長孔４５と支柱部４１との間の壁面にも孔を形成することもできる。
【００３５】
浄化器具１ｂを設置する際には、第１の実施例に関する図１０に参照されるように、取り付け用ディスク４２を例えば天井等に押し当て、木ねじを貫通孔４３を通して天井にねじ込むことにより、取り付け用蓋部４０を天井に固定しておき、この状態で該取り付け用蓋部４０に本体部２をねじ込んでもよい。しかし、第２の実施例では、貫通孔４３の下方にスペースが存在するため、図１４に示されるように浄化器具１ｂを組み立てた状態で取り付け用ディスク４２を天井等に押し当て、木ねじを貫通孔４３を通して天井にねじ込むことにより浄化器具１ｂを迅速に設置することができる。
【００３６】
第１の実施例の浄化器具では、取り付け用蓋部には孔が無いため、底部又は側部から入ってきた空気は、側部から出て行くしかなかった。これに対して、第２の実施例の浄化器具１ｂは、天井などに設置した状態でも、天板部４４とディスク４２との間にスペースが存在し、長孔４５から空気が出ることを可能にしているため、浄化器具内部への空気の出入りがよりスムーズになり、光触媒担持ボードによる浄化機能を更に向上させることができる。
（浄化器具の第３実施例）
図１６には、本発明の第３の実施例に係る浄化器具１ｃが示されている。なお、第１及び第２の実施例の浄化器具１ａ、１ｂと同一の構成要件については同一の符合を附して詳細な説明を省略する。
【００３７】
第３の実施例に係る浄化器具１ｃは、第１及び第２の実施例のように金網を用いた通気ハウジング面を有する本体部２の代わりに、図１６に示されるように、複数の透明な柱状部材５１を配列して通気ハウジング面を構成した本体部５０を用いている。第１のリング部９、通気用蓋部３、第２のリング部１２は、第１及び第２の実施例のものと同様であるが、柱状部材５１の上端及び下端は、各々、第２のリング部１２及び第１のリング部９に固定連結されている。取り付け用蓋部に関しては、第１の実施例の蓋部４及び第２の実施例の蓋部４０のいずれを用いてもよい。ボード取り付け機構２０に関しては、選択された幾つかの柱状部材５１の内側面に取り付けても、或いは、第１の実施例のように、柱部３を設け、この柱部に取り付けてもよい。なお、柱状部材５１は、例えば透明なアクリル等から構成することができる。
【００３８】
複数の柱状部材５１により構成された本体部５０は、隣接する柱状部材間の空隙により、通気性が格段に向上している。更に、柱状部材５１は、図１７（ａ）に示されるように、凸面と平面とを有する半円柱として形成され、図１６に示すように凸面が外側に向くように配置されている。従って、図１７（ｂ）に示すように、外光は、凸面の作用により集光され、本体部５０の内部に配置された光触媒担持ボード３０に届くことになる。これによって、第３の実施例の浄化器具１ｃによれば、通気性のみならず、集光性を更に向上させて、光触媒による浄化作用を大幅に増加させることができる。
（浄化器具の第４実施例）
上記第１ないし第３の実施例では、光触媒担持ボードを内部に収用した際に、光触媒担持ボードの表面が側部の通気ハウジング面に対向するようにしたため、その裏面側には、底部の通気ハウジングから外光が照射される。しかし、光触媒担持ボードの裏面側に、より強い光を照射して、光触媒機能の向上を促進させるため、浄化器具の第４の実施例では、図１８に示すように、３枚の光触媒担持ボード３０ａ、３０ｂ、３０ｃからなる正三角柱の内部に照明手段５５と、該照明手段５５にワイヤ５７を介して接続された電源５６と、を設けたことを特徴としている。この照明手段５５として、例えばＬＥＤ又はムギ球などを用いることができる。照明手段５５から発光される光により光触媒担持ボードの裏面側にも十分な光が届き、よって光触媒担持ボードの表裏両面を有効利用することで浄化作用の更なる向上を図ることができる。
【００３９】
電源５６として、乾電池、水銀電池などの電池の他、家庭用電源として用いられる交流コンセントからＡＣ−ＤＣコンバータを介して照明手段５５に電力を供給するようにしてもよい。電池を使用する場合、例えば取り付け用蓋部４、４０の裏側など、通気や採光の妨害にならない箇所に取り付けるのが好ましい。
【００４０】
電源５６の好ましい例として太陽電池パネルを使用することができる。この場合、太陽電池パネルは、浄化器具の外部に配置されてもよく、或いは、蓋部３、４、４０、柱部７などの表面に取り付けられてもよい。
【００４１】
以上が、本発明の浄化器具の各実施例であるが、本発明の浄化器具は、上記例にのみ限定されるものではない。例えば、３枚の光触媒担持ボードを正三角柱の形態に組み立てて本体部内に収容したが、本体部内に入ってきた空気が該光触媒担持ボードの両面に沿って流れることを可能にする限り、任意枚数の光触媒担持ボードを任意の形態に組み立てることができる。例えば、四角柱、五角柱などの多角柱に構成してもよい。また、図２５に示すように、複数の光触媒担持ボードをジグザグの形態に配置することもできる。図２５の浄化器具の外部にブラックライト５５’を配置することにより、浄化器具の内部の光触媒担持ボードを照明するようにしてもよい。なお、ブラックライト５５’を複数用意し、複数の方向から光触媒担持ボードを照明するようにしてもよい。
【００４２】
また、蓋部３、４、４０は、本体部２、５０にねじ込み可能としたが、バヨネット等、他の係合手段で取り付けられるようにしてもよい。なお、通気用蓋部３を本体部２に脱着可能としたが、取り付け用蓋部が脱着可能であれば、通気用蓋部３が本体部２に固定され、又は、一体に形成されていてもよい。
【００４３】
また、上記例では、取り付け用蓋部を壁面に取り付ける際に、木ねじ３３を用いたが、取り付け用蓋部４又はディスク４２と壁面との接触面に接着剤、両面テープ、マジックテープ（登録商標）等を用いることもできる。
【００４４】
図１４の実施例では、浄化器具を設置するため天板部４４から延在するディスク４４を用いたが、天板部４４にフック、紐、チェーンなどを取り付けて、浄化器具を吊るすようにしてもよい。また、上記実施例では、浄化器具を天井に取り付ける例を示したが、それ以外の箇所、例えば机の上や、天井以外の壁等に取り付けることも可能である。また、取り付け用蓋部が上側となる配置だけに限定されず、取り付け用蓋部を下側に、通気用蓋部を上側に配置する態様もあり得る。更には、浄化器具を水平、斜めに置く配置もあり得る。更に、浄化器具を固定して取り付ける態様だけでなく、浄化器具を固定しないで机上等に単に置くだけの態様も考えられる。
【００４５】
光触媒担持ボードの形状も矩形に限られず、矩形以外の多角形、円形、楕円形等、他の形態に作成してもよい。また、図１９に光担持ボードを波状に構成する例を示したが、一方向に波状だけではなく、ボードの表面積を増加させるため、高さ及び幅の両方向に波状に形成したり、表面に凹凸やしわ等を形成することも考えられる。
【００４６】
また、上記各実施例では、外枠を持っていない光触媒担持ボードを示したが、後述されるように外枠を有する光触媒担持ボードを用いることもできる。
その他、本体部や蓋部の形状、サイズ比率などは、光触媒担持ボードのサイズ等に合わせて任意好適に変更可能である。
[光触媒担持ボード]
以下、図２０乃至２３に基づいて、本発明の上記実施例に係る浄化器具で用いることが可能な光触媒担時ボードの実施例１、２を詳細に説明する。
（光担持ボードの実施例１）
図２０は実施例１に係る光触媒担時ボード作製に使用するエキスパンドメタルの部分拡大図付斜視図であり、図２１は混合粉末を充填したエキスパンドメタルにゴム製スポンジシート及びゴムシートを重ね、金属製の上下加圧用押し型により加圧成形している状態を示す概略断面図であり、図２２は実施例１に係る光触媒担時ボードの完成品の部分拡大図付一部切欠斜視図であり、図２３は実施例１に係る光触媒担時ボードの完成品の断面図である。
（混合粉末の作製）
アナターゼ型酸化チタン粉末９０ｇ（テイカ株式会社製、品番；ＡＭＴ１００、同社のカタログによる仕様：結晶形；アナタース、比表面積；２６０ｍ２／ｇ、平均粒子径；６ｎｍ）とフィブリル化可能なＰＴＦＥ粉末１０ｇ（ダイキン工業株式会社製、品番；ファインパウダーＦ１０４）とを、混合機（ＳＵＮＢＥＡＭ−ＯＳＴＥＲ社製、ＰＨＯＥＮＩＸＢＬＥＮＤＥＲ‐ＫＢ‐１）で混合した粉末を５０℃の恒温下において、回転数１６８００ｒｐｍで２分間攪拌しての混合粉末Ａを作製した。
（光触媒担持ボード未焼成品の作製）
図２０に示すように、厚み１．５５ｍｍ、１つの孔部の面積１５ｍｍ２のアルミニウム製エキスパンドメタルＥ（関西鉄工株式会社製、カンテツエキスパンドメタル４ｍｍ（メッシュ短目方向の中心間距離）×８ｍｍ（メッシュ長目方向の中心間距離）×０．８ｍｍ（板厚）×０．８ｍｍ（刻み巾））に、図２１に示すように、上記の混合粉末Ａを、前記エキスパンドメタルＥの孔部ｅが閉塞するように充填する。そして、少なくともエキスパンドメタルＥにおける混合粉末Ａを充填した部分ｅ’に、上下から厚み２ｍｍのゴム製スポンジシートＳを重ね、さらにその上下両外側に厚み１ｍｍのゴムシートＧを重ね、さらにその上下両外側から金属製の上下加圧用押し型Ｐにより５０ｋｇ／ｃｍ２で加圧成形した。なお、混合粉末Ａを使用して作製した光触媒担持ボード未焼成品をボードＡと称する。ここで作製したボードＡを水槽に浸漬したところ、水槽は即座に白濁し酸化チタン粒子が流出した。
（光触媒担持ボードの作製）
そこで、上記ボードＡを、ＰＴＦＥの融点を少し超える３７０℃に加熱された電気炉で１０分間加熱処理を行って焼成し、焼成後の該ボードＡを、外法１１ｃｍ、内法１０ｃｍ四方のステンレス製の補強枠体Ｆに挟持されるように嵌め込んで光触媒担持ボードＬの完成品を得た。この完成品を図２２及び図２３に示す。前記補強枠体Ｆの内側面にはボードＡが狭持できる内溝ｆが形成されている。外側面には他の補強枠体と接合可能な凹凸ｆ’が形成されていて、タイルを敷き詰めるように平面的に連結したり、立方体形状に立体的に連結して組み立てることができるようになっている。なお、混合粉末Ａを使用して作製した光触媒担持ボード完成品をボードＡＨと称する。このボードＡＨを水槽に浸漬しても水槽は白濁しなかった。
【００４７】
なお、本実施例の製造工程のフローチャートを図２４に示す。
（実施例２）
（混合粉末の作製）
アナターゼ型酸化チタン粉末８０ｇ（テイカ株式会社製、品番；ＡＭＴ１００、同社のカタログによる仕様：結晶形；アナタース、比表面積；２６０ｍ２／ｇ、平均粒子径；６ｎｍ）とフィブリル化可能なＰＴＦＥ粉末２０ｇ（ダイキン工業株式会社製、品番；ファインパウダーＦ１０４）とを、混合機（ＳＵＮＢＥＡＭ−ＯＳＴＥＲ社製、ＰＨＯＥＮＩＸＢＬＥＮＤＥＲ‐ＫＢ‐１）で混合した粉末を５０℃の恒温下において、回転数１６８００ｒｐｍで２分間攪拌しての混合粉末Ｂを作製した。
（光触媒担持ボード未焼成品の作製）
厚み１．５５ｍｍ、１つの開口部の面積１５ｍｍ２のアルミニウム製エキスパンドメタル（関西鉄工株式会社製、カンテツエキスパンドメタル４ｍｍ（メッシュ短目方向の中心間距離）×８ｍｍ（メッシュ長目方向の中心間距離）×０．８ｍｍ（板厚）×０．８ｍｍ（刻み巾））に、上記の混合粉末Ｂを前記エキスパンドメタルの孔部が閉塞するように充填する。そして、少なくともエキスパンドメタルにおける混合粉末Ｂを充填した部分に、上下から厚み２ｍｍのゴム製スポンジシートを重ね、さらにその上下両外側に厚み１ｍｍのゴムシートを重ね、さらにその上下両外側に金属製の上下加圧用押し型により５０ｋｇ／ｃｍ２で加圧成形した。なお、混合粉末Ｂを使用して作製した光触媒担持ボード未焼成品をボードＢと称する。ここで作製したボードＢを水槽に浸漬したところ、水槽は即座に白濁し酸化チタン粒子が流出した。
（光触媒担持ボードの作製）
そこで、上記ボードＢを、ＰＴＦＥの融点を少し超える３７０℃に加熱された電気炉で１０分間加熱処理を行って焼成し、焼成後のボードＢを、外法１１ｃｍ、内法１０ｃｍ四方のステンレス製の補強枠体に挟持されるように嵌め込んで光触媒担持ボードの完成品を得た。前記補強枠体の内側面にはボードＢが狭持できる溝が形成されている。外側面には他の補強枠体と接合可能な凹凸が形成されていて、タイルを敷き詰めるように平面的に連結したり、立方体形状に立体的に連結して組み立てることができるようになっている。なお、混合粉末Ｂを使用して作製した光触媒担持ボード完成品をボードＢＨと称する。このボードＢＨを水槽に浸漬しても水槽は白濁しなかった。
［比較例１］
上記実施例１は、酸化チタン粉末９０ｇ、ＰＴＦＥ粉末１０ｇを混合して光触媒担持ボードを作製したが、本比較例１は、酸化チタン粉末６０ｇ、ＰＴＦＥ粉末４０ｇに変更して光触媒担持ボードを作製したものである。
【００４８】
すなわち、酸化チタン粉末６０ｇ（テイカ株式会社製、品番；ＡＭＴ１００、同社のカタログによる仕様：結晶形；アナタース、比表面積；２６０ｍ２／ｇ、平均粒子径；６ｎｍ）とフィブリル化可能なＰＴＦＥ粉末４０ｇ（ダイキン工業株式会社製、品番；ファインパウダーＦ１０４）とを使用し、実施例１に示す混合粉末の作製と同様の作製方法により混合粉末Ｃを作製する。この混合粉末Ｃを使用して、実施例１に示す光触媒担持ボード未焼成品の作製と同様の作製方法により光触媒担持ボード未焼成品を作製し、これをボードＣと称する。そして、このボードＣを使用し、実施例１に示す光触媒担持ボードの作製と同様の作製方法により光触媒担持ボードを作製し、これをボードＣＨと称する。
［比較例２］
上記実施例１は、酸化チタン粉末９０ｇ、ＰＴＦＥ粉末１０ｇを混合して光触媒担持ボードを作製したが、本比較例２は、酸化チタン粉末３０ｇ、ＰＴＦＥ粉末７０ｇに変更して光触媒担持ボードを作製したものである。
【００４９】
すなわち、酸化チタン粉末３０ｇ（テイカ株式会社製、品番；ＡＭＴ１００、同社のカタログによる仕様：結晶形；アナタース、比表面積；２６０ｍ２／ｇ、平均粒子径；６ｎｍ）とフィブリル化可能なＰＴＦＥ粉末７０ｇ（ダイキン工業株式会社製、品番；ファインパウダーＦ１０４）とを使用し、実施例１に示す混合粉末の作製と同様の作製方法により混合粉末Ｃを作製する。この混合粉末Ｃを使用して、実施例１に示す光触媒担持ボード未焼成品の作製と同様の作製方法により光触媒担持ボード未焼成品を作製し、これをボードＤと称する。そして、このボードＤを使用し、実施例１に示す光触媒担持ボードの作製と同様の作製方法により光触媒担持ボードを作製し、これをボードＤＨと称する。
【００５０】
上記の実施例により作製した混合粉末Ａ及び混合粉末Ｂと、比較例により作製した混合粉末Ｃ及び混合粉末Ｄの各成分の重量を表１に示す。
【００５１】
【表１】
2010005163.tif 000003
【００５２】
［比較試験］
上記実施例におけるボードＡＨ及びボードＢＨ、比較例におけるボードＣＨ及びボードＤＨに対して、以下のように空気中及び水中においてアンモニアが中和するに至る時間を測定する試験を行い、実施例におけるボードＡＨ及びボードＢＨが短時間でアンモニアを中和させ、光触媒作用が顕著であることを実証した。
【００５３】
なお、比較の参考として、市販の光触媒セラミックボール（発売元大塚濾過槽研究所、光触媒・特殊セラミック、商品名「ストリカ」、１個の直径約６．６ｍｍの球状）約７０ｇをほぼ１０ｃｍ四方に敷き詰めたものを使用し、同様の測定を行った。さらに、リファレンスとしてアンモニアのみを注入してアンモニアの経時変化を確認した。
［空気中におけるアンモニアの中和試験］
・試験方法
ボードＡＨ、ボードＢＨ、ボードＣＨ及びボードＤＨを、それぞれポリプロピレン製で無色透明の蓋付き密閉容器（１１．５ｃｍ四方、高さ３ｃｍ）に収納し、リトマス試験紙（アドバンテック東洋株式会社製；幅９ｍｍ）をほぼ正方形に切断して各ボードの隅角部と中央部に載置する。そして、各容器の片隅にピペットを用いて濃度２８％のアンモニアの水溶液０・０５ｍｌ（化学天秤で校正した重量は０．０４７ｇ）を注入してリトマス試験紙が中和に達する時間を測定した。
・測定環境
５月の晴れの日、大阪において、午前１０時に測定を開始し、２４時間後に終了した。日中は直射日光下で、日没後の午後６時頃から翌朝日の出後の午前６時頃までは蛍光灯下で測定した。
・確認方法
ＰＨの数値は、試験によりリトマス試験紙が表示する色とリトマス試験紙規定の標準色とを比較して決定する。また、標準色との比較において中間的な状態、例えばリトマス試験紙が表示する色がＰＨ７とＰＨ８の標準色の中間的な色を呈している場合には大きい方の数値、すなわちＰＨ８を採用した。さらに、ＰＨ７と判断される場合には、無臭であることを確認した。
【００５４】
各ボードの測定結果を表２に示す。なお、粉末重量は、各ボードの形成に使用された各混合粉末の重量である。また、アンモニア中和速度係数とは、アンモニアが中和に至る速度であり、一定濃度下のアンモニアの分子数を光触媒担持ボードの両表面積と中和に至った時間との積で除した値である。当該中和試験におけるアンモニアの分子数は、０．０４７ｇ（アンモニア水溶液の重量）×２８％（濃度）÷１７ｇ（１モル当たりのアンモニアの重量）×６×１０２３（アボガドロ数）＝４．６×１０２０個（有効数字２桁）である。この分子数を光触媒担持ボードの両表面積０．０２ｍ２と中和に至った時間との積で割ればアンモニア中和速度係数が算出される。
【００５５】
【表２】
2010005163.tif 000004
【００５６】
［評価］
上記の試験結果により、ボードＡＨを収納した容器内の気体は、ＰＨ１１のアンモニアが、試験開始から１時間で中和に達し、ボードＡＨの光触媒作用が顕著に発揮されることを確認した。また、ボードＢＨを収納した容器内の気体は５時間で中和し、ボードＢＨについても光触媒作用が十分に発揮されることを確認した。これに対し、ボードＣＨを収納した容器内の気体は２４時間でようやく中和に達し、ボードＣＨの光触媒作用が十分でないことを確認した。また、ボードＤＨ及びセラミックボールを収納した容器内の気体は２４時間経過しても中和に達せず、光触媒としての実用性が低いことを確認した。以上の結果により、光触媒担持ボードのアンモニア中和速度係数が、２．３×１０２１個／ｍ２・時間以上である場合には、極めて優れた光触媒作用の効果が発揮できる大気中専用の光触媒担持ボードが得られることが実証され、光触媒担持ボード製造に使用する混合粉末における光触媒粒子の含有量を７５％以上、ＰＴＦＥの含有量を２５％以下にすれば達成可能である。なお、リファレンスは２４時間経過しても容器内の気体のＰＨが変化せず、これにより試験方法が正確であり、かつ、測定結果が信頼できるものであることを確認した。
［水中におけるアンモニアの中和試験］
・試験方法
前記の「空気中におけるアンモニアの中和試験」において使用したのと同様の容器に、２００ｍｌの水を入れ、ピペットを用いて濃度２８％のアンモニアの水溶液０・０５ｍｌ（化学天秤で校正した重量は０．０４７ｇ）を注入した後、各容器に、ボードＡＨ、ボードＢＨ、ボードＣＨ及びボードＤＨを収納し、一定時間経過毎にそれぞれの容器から注入した水一滴を採取し、リトマス試験紙に滴下してＰＨの変化を測定した。
・測定環境
５月の晴れの日、大阪において、午前１０時に測定を開始し、４８時間後に終了した。日中は直射日光を避けた屋外で、日没後の午後６時頃から翌朝日の出後の午前６時頃までは蛍光灯下で測定した。
【００５７】
なお、確認方法は、前記の「空気中におけるアンモニアの中和試験」における確認方法と同じである。
測定結果を表３に示す。なお、各ボードの形成に使用された粉末重量は、前記の「空気中におけるアンモニアの中和試験」における粉末重量と同じである。また、アンモニア中和速度係数は、「空気中におけるアンモニアの中和試験」で述べた方法により算出される。
【００５８】
【表３】
2010005163.tif 000005
【００５９】
［評価］
上記の試験結果により、ボードＡＨを収納した容器内の液体は、ＰＨ１１のアンモニアが、試験開始から５時間で中和に達し、ボードＡＨの光触媒作用が顕著であることを確認した。また、ボードＢＨを収納した容器内の液体は２４時間で中和し、ボードＢＨについても十分な光触媒作用があることを確認した。これに対し、ボードＣＨを収納した容器内の液体は４８時間でようやく中和に達し、ボードＣＨの光触媒作用が十分でないことを確認した。また、ボードＤＨ及びセラミックボールを収納した容器内の空気は４８時間経過しても中和に達せず、光触媒として実用性が低いことを確認した。以上の結果により、光触媒担持ボードのアンモニア中和速度係数が、７．５×１０２０個／ｍ２・時間以上である場合には、極めて優れた光触媒作用の効果が発揮できる水中専用の光触媒担持ボードが得られることが実証され、光触媒担持ボード製造に使用する混合粉末における光触媒粒子の含有量を７５％以上、ＰＴＦＥの含有量を２５％以下にすれば達成可能である。なお、リファレンスは２４時間経過しても容器内の液体のＰＨが変化せず、これにより試験方法が正確であり、かつ、測定結果が信頼できるものであることを確認した。
[光触媒担持ボードを用いた実験及び効果]
本発明の実施例に係る光触媒担持ボードとブラックライトとの組み合わせを用いて実験を行った。被験者は、被験者Ａ（ＯＬ女性（にきび、ふきでもの、子宮に持病がある女性）、被験者Ｂ（健康体の女性）及び被験者Ｃ（全身にアトピーがる女性）の計３名である。
【００６０】
被験者Ａに関しては、６畳一間のワンルームに８枚の光触媒担持ボードを設置したところ、ストレスのない睡眠をとることができるだけではなく、化粧ののりが良くなり、にきび等がなくなった。
【００６１】
健康に悩みを持たない被験者Ｂに関しては、寝室に４枚の光触媒担持ボードを設置したところ、「よいかもしれない」との感想が得られた。
被験者Ｃに関しては、６畳一間のワンルームに８枚の光触媒担持ボードを設置したところ、良く眠れ、化粧ののりもよくなった。またテスト開始から２週間目にアトピーが改善されたのが自分でも分かるようになった。
【００６２】
以上のとおり、本発明の実施例の光触媒担持ボードは、従来のように単に消臭や汚れないといった使用方法のみならず、ストレスの軽減、睡眠の改善並びに病気の予防といったことにも優れた効果を奏する。そして、本発明の実施例に係る浄化器具は、このような光触媒担持ボードを生活に取り入れるための有用な手段を提供するものである。
【００６３】
上記効果をもたらす要因として以下のことが推測される。
タバコ、電磁波、ストレス、食品添加物、工場排煙、排気ガス、お酒、地球温暖化（紫外線）の要因で、体内に大量の活性酸素が発生している。活性酸素は、人間の体を酸化（錆びる）させており、これが原因で、ガン・アトピー・アレルギー等の現代病を引き起こしている。更に、通常の室内にもタバコ、ストレス、シックハウスガスが存在している。
【００６４】
本実施例の光触媒担持ボードは、上記した要因を除去し、ストレスがない呼吸を可能にするものである。ストレスがない呼吸によって、一定時間、室内にいると、活性酸素の発生が抑えられ、深い睡眠であるレム睡眠に入ることができる。従って、疲れやストレスを速やかに除去することができ、皮膚、肺などを始めとして人体の酸化を防止、改善することができる。
【産業上の利用可能性】
【００６５】
本発明に係る光触媒担持ボード、並びに、該光触媒担持ボードを収用した浄化器具は、これを使用すると空気などの脱臭及び浄化作用が顕著である。したがって、産業上の利用価値が高いものである。
【図面の簡単な説明】
【００６６】
【図１】図１は、本発明の第１の実施例に係る浄化器具の分解斜視図である。
【図２】図２は、図１の浄化器具を組み立て状態の斜視図である。
【図３】図３は、図１の浄化器具の底面図である。
【図４】図４は、第１の実施例に係る浄化器具内に光触媒担持ボードを取り付ける機構を示すための浄化器具内部の平面図である。
【図５】図５は、図４の浄化器具の内部に光触媒担持ボードを取り付けた状態を示す浄化器具内部の平面図である。
【図６】図６は、光触媒担持ボードを取り付ける機構の作用を説明するための斜視図である。
【図７】図７は、図１の浄化器具の内部に光触媒担持ボードを取り付けた状態の斜視図である。
【図８】図８は、図１の浄化器具の本体側面部に金網を取り付けるときの該浄化器具の斜視図である。
【図９】図９は、図１の浄化器具の底面部に金網を取り付けるときの該浄化器具の斜視図である。
【図１０】図１０は、図１の浄化器具を天井壁に取り付けるときの手順を示すための該浄化器具の斜視図である。
【図１１】図１１は、天井壁に取り付けたときの図１の浄化器具の斜視図である。
【図１２】図１２は、図１の浄化器具内部の空気の流れを示す該浄化器具の側面図である。
【図１３】図１３は、通気ハウジングの金網の構成を示す平面図である。
【図１４】図１４は、本発明の第２の実施例に係る浄化器具の斜視図である。
【図１５】図１５は、図１４の浄化器具に用いられる蓋部の主要部の平面図である。
【図１６】図１６は、本発明の第３の実施例に係る浄化器具の斜視図である。
【図１７】図１７は、図１６の浄化器具に用いられるアクリル製バー部材の図であって、（ａ）はバー部材の斜視図、（ｂ）はバー部材の作用を説明するための図である。
【図１８】図１８は、本発明の各実施例に係る浄化器具の内部に照明手段を設けたときの概略図である。
【図１９】図１９は、本発明の各実施例に係る浄化器具の内部に配置される光触媒担持ボードの別の例を示す斜視図である。
【図２０】図２０は、実施例１に係る光触媒担時ボード作製に使用するエキスパンドメタルの部分拡大図付斜視図である。
【図２１】混合粉末を充填したエキスパンドメタルにゴム製スポンジシート及びゴムシートを重ね、金属製の上下加圧用押し型により加圧成形している状態を示す概略断面図である。
【図２２】実施例１に係る光触媒担時ボードの完成品の部分拡大図付一部切欠斜視図である。
【図２３】実施例１に係る光触媒担時ボードの完成品の断面図である。
【図２４】実施例１に係る光触媒担持ボードの製造工程を示すフローチャートである。
【図２５】図２５は、光触媒担持ボードの別の配置例を示す、本発明の実施例に係る浄化器具の斜視図である。
【符号の説明】
【００６７】
１ａ    第１の実施例に係る浄化器具
１ｂ    第２の実施例に係る浄化器具
１ｃ    第３の実施例に係る浄化器具
２      本体部
３      通気用蓋部
４      取り付け用蓋部
５ａ、５ｂ、５ｃ      側面の通気ハウジング面
６    底部の通気ハウジング面
７ａ、７ｂ、７ｃ    柱部
８    貫通孔
９    第１のリング部
１０    ねじ部
１１    ねじ部
１２    第２のリング部
１３    ねじ部
２０（２０ａ、２０ｂ、２０ｃ）  ボード取り付け機構      
２１ａ、２１ｂ  柱状ブロック
２２      連結部
２３ａ、２３ｂ  スリット
２４    底縁平面
３０（３０ａ、３０ｂ、３０ｃ）      光触媒担持ボード
３１ａ    金網
３２      金網
３３    木ねじ
３４    天井
３５    集光機能を有する金網
３６    集光部
３７    開口部
４０    蓋部
４２    ディスク
４４    天板部
６０（６０ａ、６０ｂ、６０ｃ）      光触媒担持ボード
５０    本体部
５１    柱状部材
５５    照明手段
５５’  ブラックライト
５６    電源
５７    ワイヤ
Ａ・・・混合粉末
Ｅ・・・エキスパンドメタル
ｅ・・・孔部
ｅ’・・混合粉末を充填した部分
Ｓ・・・ゴム製スポンジシート
Ｇ・・・ゴムシート
Ｐ・・・金属製の上下加圧用押し型
Ｆ・・・補強枠体
ｆ・・・補強枠体の内溝
ｆ’・・接合可能な凹凸
Ｌ・・・光触媒担持ボード
【図１】
2010005163.tif 000006
【図２】
2010005163.tif 000007
【図３】
2010005163.tif 000008
【図４】
2010005163.tif 000009
【図５】
2010005163.tif 000010
【図６】
2010005163.tif 000011
【図７】
2010005163.tif 000012
【図８】
2010005163.tif 000013
【図９】
2010005163.tif 000014
【図１０】
2010005163.tif 000015
【図１１】
2010005163.tif 000016
【図１２】
2010005163.tif 000017
【図１３】
2010005163.tif 000018
【図１４】
2010005163.tif 000019
【図１５】
2010005163.tif 000020
【図１６】
2010005163.tif 000021
【図１７】
2010005163.tif 000022
【図１８】
2010005163.tif 000023
【図１９】
2010005163.tif 000024
【図２０】
2010005163.tif 000025
【図２１】
2010005163.tif 000026
【図２２】
2010005163.tif 000027
【図２３】
2010005163.tif 000028
【図２４】
2010005163.tif 000029
【図２５】
2010005163.tif 000030